(57)【要約】【課題】撮影時の撮影雰囲気条件下で、カメラ筐体内外間に発生する圧力差や外部衝撃力を含む広レベル範囲の環境印加力を、カメラを破損せず緩和可能な防水カメラを提供する。【解決手段】カメラ筐体１の表面隅部３０Ａ〜３０Ｄに弾性グリップ部材３５Ａ〜３５Ｄがそれぞれ嵌合保持され、カメラ筐体１に筐体内部３４との通気孔３８を有する凹部３６Ａが形成され、弾性グリップ部材３５Ａが突起部３３を溝部３２に嵌合させ凹部３６Ａを覆って配設され、撮影環境条件下で、例えばカメラ部品の発熱によりカメラ筐体１内外に圧力差が生じたり、防水カメラに外部衝撃力が加えられると、凹部３６Ａ上の空間部３７Ａ内で弾性グリップ部材３５Ａが弾性変位して、カメラ筐体１の内外圧力差が消滅し、外部衝撃力が弾性グリップ部材３５Ａの変位に吸収され、防水カメラの破損を防止することが可能になる。【選択図】        図３
2005043608.tif 000002
【特許請求の範囲】
【請求項１】
防水密封構造のカメラ筐体を備えた防水カメラにおいて、
前記カメラ筐体の表面隅部において、凹凸嵌合手段により前記カメラ筐体に嵌合保持される弾性グリップ部材と、
前記カメラ筐体内部に連通して、前記弾性グリップ部材と前記カメラ筐体間に設けられ、前記カメラ筐体内外間の圧力差や前記カメラ筐体への外部衝撃により、前記弾性グリップ部材に与えられる押圧力を含む環境押圧力に基づいて、前記弾性グリップ部材に対して前記環境押圧力に対応する弾性変位を行なわせる空間部とを有することを特徴とする防水カメラ。
【請求項２】
凹凸嵌合手段は、カメラ筐体内外間の圧力差が予め設定した所定値を越えると、弾性グリップ部材とカメラ筐体との嵌合を解除することにより、前記カメラ筐体内外間の圧力差を消滅させることを特徴とする請求項１記載の防水カメラ。
【請求項３】
空間部に多孔質弾性部材がさらに装填配設されていることを特徴とする請求項１または請求項２記載の防水カメラ。
【請求項４】
空間部に圧縮スプリング部材がさらに装填配設されていることを特徴とする請求項１または請求項２記載の防水カメラ。
【請求項５】
空間部に板ばね部材がさらに装填配設されていることを特徴とする請求項１または請求項２記載の防水カメラ。
【発明の詳細な説明】
【０００１】
【発明の属する技術分野】
本発明は密封防水構造のカメラ筐体を備えた防水カメラに関する。
【０００２】
【従来の技術】
デジタルカメラは、近年大幅に小型化されて携帯に便利な形状となり、機能上でも撮影した画像データをパソコンに転送して、各種のデータ処理を行って、得られる画像データに対してプリントを行い、ディスプレイに表示させ、ユーザが利用し易いファイルとして格納することができるので、屋内屋外を問わず各種の分野で利用されるようになっている。
このために、デジタルカメラは、ユーザがオリジナルな写真集を作成したり、オンラインアルバムを作成するという従来の個人的な利用に限らず、例えば、建築現場で建築の進行情況を撮影して、画像資料として記録格納するなど産業界への利用も拡大している。
この種のデジタルカメラでは、カメラ筐体に開閉蓋が設けられ、開閉蓋を解放状態にして、カメラ筐体内にカメラ駆動用の電池や、撮影データが記録されるメモリカードなどのカメラ部品が装着され、これらのカメラ部品のカメラ筐体内への装着後に開閉蓋が密封遮蔽され、密封防水構造の防水カメラとして、各種の分野でさまざまな被写体の撮影を行なうために使用されている。
【０００３】
このようにして使用される防水カメラを、各種の撮影現場で様々な撮影雰囲気条件下で快適に使用するためには、防水カメラ自体が小型軽量化され携帯性に富むことが必要であると共に、屋外使用時に悪天候下でも使用可能なように、開閉蓋を含むカメラ筐体全体が密封防水構造であることが必要である。
さらに、これらの条件に加えて、各種の撮影雰囲気条件下で使用される防水カメラには、外部からの衝撃力や、カメラ筐体内部に収納されるカメラ部品の発熱や撮影雰囲気の異常圧力などに起因して発生するカメラ筐体内外間の圧力差にも、十分な耐久性を備えた構造であることが要求される。
本明細書では、撮影時の撮影雰囲気条件下で、この種の防水カメラに与えられる外部衝撃力や、カメラ筐体内外間の圧力差に起因する差圧力を含む押圧力を環境押圧力と呼ぶことにする。
【０００４】
この種の防水カメラに対応する従来技術としては、後記する特許文献１に、精密機器の表面カバーに、表面カバーとの間に空間部を形成して弾性部材を取り付け、精密機器が外力を受けた場合に、弾性部材が圧縮変形のみならず、弾性変形して衝撃を吸収する精密機器外装の衝撃吸収構造が開示されている。
また、他の従来技術としては、後記する特許文献２に、硬質材カバーを備えた防水カメラにおいて、筐体を構成する硬質材カバーにカメラ内部に通じる連通孔を設け、この連通孔部分の硬質カバーを弾性変形可能な薄肉部に形成することにより、筐体内外に圧力差が生じた場合に、薄肉部が弾性変形して内外圧力差を緩和する防水カメラが開示されている。
【０００５】
【特許文献１】
特開平１１−２０２３９３号公報
【特許文献２】
特開２００２−２６８１２４号公報
【０００６】
【発明が解決しようとする課題】
特許文献１に記載の精密機器外装の衝撃吸収構造には、空間部に収容される弾性部材の圧縮変形と弾性変形によって、精密機器が外力を受けた場合の衝撃を吸収する技術的思想が開示されているのみで、精密機器の筐体内部と筐体外部との圧力差を緩和する技術的思想は全く開示されていない。
一方、特許文献２には、防水カメラの筐体内外に圧力差が生じた場合に、硬質カバーに形成した内外連通孔部分を覆って配設される弾性カバーの薄肉部の弾性変形によって、防水カメラの筐体の内外の圧力差を緩和する技術的思想が開示されている。
しかし、特許文献２に記載の技術的思想では、弾性カバーの薄肉部の限られた弾性変形に対応する範囲の筐体の内外の圧力差を緩和することができるだけであり、筐体の内外の圧力差がこの範囲を越えると、弾性カバーが薄肉部で破損してしまう。
【０００７】
本発明は、前述したようなこの種の防水カメラ使用時の動作の現状に鑑みてなされたものであり、その目的は、撮影時の撮影雰囲気条件下で、カメラ筐体内外間に発生する圧力差や外部衝撃力を含む広範囲の環境押圧力を、カメラの破損なしに緩和可能で、構造も簡単な防水カメラを提供することにある。
【０００８】
【課題を解決するための手段】
前記目的を達成するために、請求項１記載の発明は、防水密封構造のカメラ筐体を備えた防水カメラにおいて、前記カメラ筐体の表面隅部において、凹凸嵌合手段により前記カメラ筐体に嵌合保持される弾性グリップ部材と、前記カメラ筐体内部に連通して、前記弾性グリップ部材と前記カメラ筐体間に設けられ、前記カメラ筐体内外間の圧力差や前記カメラ筐体への外部衝撃により、前記弾性グリップ部材に与えられる押圧力を含む環境押圧力に基づいて、前記弾性グリップ部材に対して前記環境押圧力に対応する弾性変位を行なわせる空間部とを有することを特徴とするものである。
【０００９】
このような手段によると、カメラ筐体表面の隅部において、凹凸嵌合手段によって弾性グリップ部材がカメラ筐体に嵌合保持され、弾性グリップ部材とカメラ筐体間には、カメラ筐体内部に連通する空間部が設けられているので、防水カメラに撮影環境条件下で、カメラ筐体内外の圧力差やカメラ筐体への外部衝撃に起因する押圧力を含む環境押圧力が加えられると、空間部内で弾性グリップ部材が、自己の弾性特性に基づき、環境押圧力に対応して弾性変位し、環境押圧力が吸収緩和されるので、環境押圧力によって、防水カメラに対して、気密防水性の低下、カメラ筐体内のカメラ部品の損傷、カメラ部品交換時の開閉蓋の開閉困難化などの動作事故が発生することが完全に防止される。
【００１０】
同様に前記目的を達成するために、請求項２記載の発明は、請求項１記載の発明において、凹凸嵌合手段は、カメラ筐体内外間の圧力差が予め設定した所定値を越えると、弾性グリップ部材とカメラ筐体との嵌合を解除することにより、前記カメラ筐体内外間の圧力差を消滅させることを特徴とするものである。
【００１１】
このような手段によると、請求項１記載の発明での作用に加えて、カメラ筐体内外の圧力差が予め設定した所定値を越えると、凹凸嵌合手段によって、弾性グリップ部材とカメラ筐体との嵌合が解除され、カメラ筐体内外に圧力差がなくなるように設定されるので、予め設定した所定値を越える圧力差がカメラ筐体内外に発生した場合には、弾性グリップ部材がカメラ筐体から自動的に嵌合を解除されることにより、カメラ筐体内外に所定値を越える圧力差が発生した場合にも、防水カメラの破損が完全に防止される。
【００１２】
同様に前記目的を達成するために、請求項３記載の発明は、請求項１または請求項２記載の発明に対して、空間部に多孔質弾性部材がさらに装填配設されていることを特徴とするものである。
【００１３】
このような手段によると、請求項１または請求項２記載の発明での作用に加えて、空間部に多孔質弾性部材がさらに装填配設されているので、環境押圧力に対応する弾性グリップ部材の弾性変位が、弾性グリップ部材の弾性特性及び多孔質弾性部材の弾性特性に基づいて行なわれ、多孔質弾性部材の弾性特性に対応して、環境押圧力の吸収緩和効果が高められる。
【００１４】
同様に前記目的を達成するために、請求項４記載の発明は、請求項１または請求項２記載の発明に対して、空間部に圧縮スプリング部材がさらに装填配設されていることを特徴とするものである。
【００１５】
このような手段によると、請求項１または請求項２記載の発明での作用に加えて、空間部に圧縮スプリング部材がさらに装填配設されているので、環境押圧力に対応する弾性グリップ部材の弾性変位が、弾性グリップ部材の弾性特性及び圧縮スプリング部材の弾性特性に基づいて行なわれ、圧縮スプリング部材の弾性特性に対応して、環境押圧力の吸収緩和効果が高められる。
【００１６】
同様に前記目的を達成するために、請求項５記載の発明は、請求項１または請求項２記載の発明に対して、空間部に板ばね部材がさらに装填配設されていることを特徴とするものである。
【００１７】
このような手段によると、請求項１または請求項２記載の発明での作用に加えて、空間部に板ばね部材がさらに装填配設されているので、環境押圧力に対応する弾性グリップ部材の弾性変位が、弾性グリップ部の弾性特性及び板ばね部材の弾性特性に基づいて行なわれ、板ばね部材の弾性特性に対応して、環境押圧力の吸収緩和効果が高められると共に、取り付け占有空間の小さい板ばね部材の使用によって構成が小型化される。
【００１８】
【発明の実施の形態】
［第１の実施の形態］
本発明の第１の実施の形態を、図１ないし図４を参照して説明する。
図１は本実施の形態の構成を示す前面斜視説明図、図２は同実施の形態の構成を示す背面斜視説明図、図３は同実施の形態の通常動作時の要部の構成を示す断面説明図、図４は同実施の形態の筐体内外圧均等化動作時の要部の構成を示す断面説明図である。
【００１９】
本実施の形態では、図１の正面斜視図に示すように、カメラを操作するユーザの右手側に右手グリップ部２が設けられ、ユーザの左手側に左手グリップ部１４が設けられたほぼ長方体状のカメラ筐体１の前面のほぼ中央に撮影レンズ３が取り付けられ、この撮影レンズ３の上方には、ユーザが目視で被写領域を確認する光学ファインダ５、及び低照度撮影時に補助光を発光するストロボ６が設けられている。
また、カメラ筐体１の上面には、各種の撮影モードの選択を行なう回転型モードダイヤル７が設けられ、この回転型モードダイヤル７の中心位置に、電源のＯＮ−ＯＦＦを行なう電源スイッチ８が設けられ、回転型モードダイヤル７の右手グリップ部２側にシャツタ釦９が、左手グリップ部１４側に外部ストロボを取り付けるアクセサリシュー１０が取り付けられている。
【００２０】
さらに、カメラ筐体１の左手グリップ部１４には、カメラ筐体１内に設けられる図示せぬ外部出力端子を覆う端子蓋１１が取り付けられており、カメラ筐体１の右手グリップ部２位置のカメラ筐体１内には、図示せぬカードスロット部と各種の電池が収納される収納室とが設けられ、右手グリップ部２には、カードスロット部と収納室との開口部を覆う開閉蓋１２が設けられている。
図示はしないが、カメラ筐体１内の収納室には、撮影データが記録されるメモリカードが着脱自在なカードスロット部が配設され、また、この収納室には、電源コードが接続されたダミー電池、充電型電池或いは両端面に電極部を備えた円柱型電池の何れかが選択されて装着されるような構成になっている。
【００２１】
カメラ筐体１の背面には、図２の背面斜視図に示すように左手グリップ部１４側に撮影画像や撮影モードの表示を行なうＬＣＤモニタ２１が設けられ、ＬＣＤモニタ２１の上方にファインダ接眼部２２と各種設定の表示を行なうファインダ表示窓２３とが設けられ、右手グリップ部２側にはズーム釦２４が、ズーム釦２４とＬＣＤモニタ２１間には各種のモードスイッチ２５が設けられている。
【００２２】
また、本実施の形態では、開閉蓋１２は、カメラ筐体１に設けられた支持軸を中心に、カメラ筐体１内に設けられた収納室の開口部を解放し、また遮蔽するように回動自在に取り付けられている。この開閉蓋１２には、開閉ダイヤル３７が取り付けられており、開閉ダイヤル３７を閉じ方向に回転すると、図示せぬ開閉蓋ロックレバーの先端部が、カメラ筐体１の内側部に係合して、開閉蓋１２が固定ロックされ、開閉ダイヤル３７を開方向に回転すると、開閉蓋ロックレバーの先端部が、カメラ筐体１の内側部から外れて、開閉蓋１２が解放されるように構成されている。
【００２３】
また、開閉ダイヤル３７と開閉蓋１２間には、リング状のパッキン部材が挟持配置され、開閉蓋１２に形成された収納溝に、リング状のパッキン部材が配置され、カメラ筐体１には、開閉蓋１２のリング状のパッキン部材が押圧される外側が広く、内側が狭い押圧斜面が形成されていて、開閉蓋１２が閉じられると、パッキン部材が押圧斜面に押圧されて防水ロックが行なわれるように構成されている。
【００２４】
ところで、本実施の形態では、図１及び図２に示すように、カメラ筐体１表面の隅部３０Ａ〜３０Ｄにおいて、カメラ筐体１に弾性グリップ部材３５Ａ〜３５Ｄがそれぞれ嵌合保持されている。図３に隅部３０Ａにおけるカメラ筐体１に対する弾性グリップ部材３５Ａの嵌合保持構成を取り上げて説明すると、カメラ筐体１の隅部頂点を挟む位置に、板面に直角に溝部３２がそれぞれ形成され、カメラ筐体１の隅部頂点近傍には、二本の通気孔３８で筐体内部３４に通じる凹部３６Ａが形成されている。
一方、弾性グリップ部材３５Ａの端部近傍には、突起部３３がそれぞれ形成されており、隅部３０Ａにおいては、これらの突起部３３が対応する溝部３２にそれぞれ弾性嵌合されて、カメラ筐体１に弾性グリップ部材３５Ａが嵌合保持されている。
その他の隅部３０Ｂ〜３０Ｄにおけるカメラ筐体１に対する弾性グリップ部材３５Ｂ〜３５Ｄの嵌合保持も全く同様にして行なわれているが、重複する説明は行なわない。
【００２５】
本実施の形態に係る防水カメラによる被写体の撮影に際しては、先ず、カメラ筐体１の収納室に各種電池が選択収納される。
カメラ筐体１の収納室に、両端面に電極部を有する円柱型電池（乾電池）を収納装着する場合には、図２に示す開閉蓋１２の開閉ダイヤル３７を開方向に回転し、開閉蓋ロックレバーの先端部のカメラ筐体１の内側部との係合を解除して開閉蓋１２を開き、収納室の開口部を解放状態にし、収納室内に円柱型電池を挿入する。そして、開閉蓋１２を閉じて、開閉ダイヤル３７を閉じ方向に回転すると、開閉蓋１２に取り付けられた電池接片が、円柱型電池の電極部に電気接触した状態で、開閉蓋ロックレバーの先端部が、カメラ筐体１の内側部に係合して、開閉蓋１２が収納室の開口部を閉鎖する。この閉鎖状態で、開閉蓋１２は固定ロックされ、開閉蓋１２が閉じられることにより、パッキン部材が押圧斜面に押圧され、また、開閉蓋１２と開閉ダイヤル３７間にパッキングが挟持されることによって、固定ロックされた開閉蓋１２によって、収納室には防水密閉状態が設定される。
【００２６】
また、カメラ筐体１の収納室に、ほぼ長方体状の充電型電池を装着する場合には、開閉蓋１２の開閉ダイヤル３７を開方向に回転し、開閉蓋ロックレバーの先端部のカメラ筐体１の内側部との係合を解除して開閉蓋１２を開き、収納室の開口部を解放状態にし、収納室内に充電型電池を挿入する。
この挿入時には、図示せぬスプリングが弾性変形することにより、電池ロック爪が撓んで充電型電池が収納室の端面まで挿入されると、スプリングが弾性復帰して、電池ロック爪が原位置に復帰し、電子ロック爪の先端部５４が、充電型電池の後端面５１に弾性係合される。
【００２７】
この状態で、開閉蓋１２を閉じて、開閉ダイヤル３７を閉じ方向に回転すると、収納室内に設けられた図示せぬ接片に、充電型電池の図示せぬ電極部が電気接触した状態で、開閉蓋ロックレバーの先端部が、カメラ筐体１の内側部に係合して、開閉蓋１２が収納室の開口部を閉鎖する。この閉鎖状態で、開閉蓋１２は固定ロックされ、開閉蓋１２が閉じられることにより、パッキン部材が押圧斜面に押圧され、また、開閉蓋１２と開閉ダイヤル３７間にパッキングが挟持されることによって、固定ロックされた開閉蓋１２によって、収納室には防水密閉状態が設定される。
この場合、開閉蓋１２を閉じると、開閉蓋１２に設けられた凸部が、充電型電池の後端面５１を押圧するので、ユーザによる充電型電池の収納室内への挿入が不十分でも、電池ロック爪の先端部が、充電型電池の後端面に係合する位置まで、充電型電池は収納室内で押し込まれ、充電型電池の装着は常に適確に行なわれる。
【００２８】
さらに、カメラ筐体１の収納室に、電源コードが接続され、外部から電源が供給されるほぼ長方体状のダミー電池を装着する場合には、開閉蓋１２の開閉ダイヤル３７を開方向に回転し、開閉蓋ロックレバーの先端部のカメラ筐体１の内側部との係合を解除して開閉蓋を開き、収納室の開口部を解放状態にし、収納室内にダミー電池を挿入する。
この挿入時には、スプリングが弾性変形することにより、電池ロック爪が撓んでダミー電池が収納室の端面まで挿入されると、スプリングが弾性復帰して、電池ロック爪が原位置に復帰し、電子ロック爪の先端部が、ダミー電池の後端面に弾性係合され、ダミー電池は収納室内に固定保持される。
この場合、収納室内に設けられた図示せぬ接片に、ダミー電池の図示せぬ電極部が電気接触した状態で、ダミー電池は収納室内に固定保持され、ダミー電池に接続された電源コードは、カメラ筐体１の側面において、半開きに設定された開閉蓋１２の間隙を介してカメラ筐体１の側面から外部に導出される。
【００２９】
このようにして、本実施の形態においては、必要な型式の電池が選択されてカメラ筐体１に装着され、その他メモリカードなど撮影に必要なカメラ部品がカメラ筐体１に装着された状態で被写体の撮影が行なわれるが、その撮影動作時には、ユーザが操作するカメラ筐体１には、撮影雰囲気条件に対応してカメラ筐体１内部とカメラ筐体１外部間の圧力差に基づく差圧力や、カメラ筐体１への外部衝撃力を含む環境押圧力が印加される。
ここで、本実施の形態における環境押圧力への対応動作について説明する。
【００３０】
本実施の形態では、すでに図２及び図３を参照して説明したように、カメラ筐体１表面の右手グリップ部２側の隅部３０Ｂ、３０Ｄ及び左手グリップ部１４側の隅部３０Ａ〜３０Ｃに、弾性グリップ部材３５Ｂ、３５Ｄと弾性グリップ部材３５Ａ、３５Ｃとがそれぞれ嵌合されている。この場合、各隅部３０Ａ〜３０Ｄにおける弾性グリップ部材３５Ａ〜３５Ｄのカメラ筐体１への嵌合構造は同一なので、以下ではカメラ筐体１の隅部３０Ａにおける嵌合構造に基づいて、環押圧加力への対応動作を説明する。
【００３１】
本実施の形態では、図３に示すように、カメラ筐体１には隅部３０Ａ位置に、筐体内部３４に通じる通気孔３８が形成された凹部３６Ａが設けられ、この凹部３６Ａを覆って、弾性グリップ部材３５Ａが、突起部３３をカメラ筐体１の溝部３２に嵌合させて、カメラ筐体１に嵌合保持されている。
このために、例えばカメラ筐体１内に収納配設されているカメラ部品の発熱によって、筐体内部３４の圧力が、予め設定される許容限度値内で増加すると、凹部３６Ａに弾性グリップ部材３５Ａに覆われて形成される空間部３７Ａの圧力が通気孔３８を介して増加するが、弾性グリップ部材３５Ａが凹部３６Ａ部分において、外側に弾性変位することにより、筐体内部３４の圧力増加が低減補償され防水カメラの破損は防止される。
この場合、筐体内部３４の圧力が、予め設定される許容限度値を越えて増加すると、空間部３７Ａの圧力の許容限度値を越える増加によって、図４に示すように、突起部３３と溝部３２との嵌合が解除され、筐体内部３４の圧力がカメラ筐体１外部の圧力と等しくなり、防水カメラが破損することはない。
【００３２】
また、本実施の形態に係る防水カメラに対して、撮影動作時の撮影環境条件に基づき、外部から弾性グリップ部材３５Ａに衝撃力が印加された場合には、弾性グリップ部材３５Ａが空間部３７Ａの内部方向に弾性変位することにより、衝撃力は弾性グリップ部材３５Ａの弾性変位に吸収され、防水カメラの破損は防止される。
【００３３】
以上に説明したように、本実施の形態によると、カメラ筐体１表面の隅部３０Ａ〜３０Ｄにおいて、カメラ筐体１に弾性グリップ部材３５Ａ〜３５Ｄがそれぞれ嵌合保持されており、隅部３０Ａを取り上げて説明すると、図３に示すように、カメラ筐体１に筐体内部３４に通じる通気孔３８が形成された凹部３６Ａが形成され、弾性グリップ部材３５Ａが、突起部３３をカメラ筐体１の溝部３２に嵌合させ、凹部３６Ａを覆って配設されている。
このために、防水カメラの撮影環境条件下で、例えばカメラ部品の発熱によってカメラ筐体１の内外に圧力差が生じたり、防水カメラに外部衝撃力が加えられたりすることにより、防水カメラに環境押圧力が加えられると、空間部３７Ａ内で弾性グリップ部材が弾性変位することにより、カメラ筐体１の内外圧力差が消滅し、或いは外部衝撃力が弾性グリップ部材の変位に吸収されるので、何れの場合も防水カメラの破損を防止することが可能になる。
また、カメラ筐体１の内外圧差が予め設定した所定値を越えて増加すると、筐体内部３４の圧力によって、図４に示すように突起部３３と溝部３２の嵌合が解除されるので、カメラ筐体１内外の圧力差が所定値を越えて増加してもカメラが破損することはない。
【００３４】
［第２の実施の形態］
本発明の第２の実施の形態を、図５を参照して説明する。
図５は本実施の形態の要部の構成を示す断面説明図である。
【００３５】
本実施の形態では、すでに図３を参照して説明した第１の実施の形態に対して、図５に示すように、空間部３７Ａ内にスポンジなどの多孔質弾性部材４１がさらに装填配設されている。
本実施の形態のその他の部分の構成は、すでに説明した第１の実施の形態と同一なので、重複する説明は行なわない。
【００３６】
本実施の形態では、撮影環境条件下で防水カメラに環境押圧力が加えられると、加えられた環境押圧力に対応して、弾性グリップ部材３５Ａの弾性変位が、弾性グリップ部材３５Ａの弾性特性及び多孔質弾性部材４１の弾性特性に基づいて行なわれる。
このために、本実施の形態によると、多孔質弾性部材４１の弾性特性に対応して、環境押圧力の吸収緩和効果を高めることが可能になる。
本実施の形態のその他の動作及び効果は、すでに説明した第１の実施の形態と同一なので、重複する説明は行なわない。
【００３７】
［第３の実施の形態］
本発明の第３の実施の形態を、図６を参照して説明する。
図６は本実施の形態の要部の構成を示す断面説明図である。
【００３８】
本実施の形態では、図６に示すように、カメラ筐体１の凹部３６Ａの通気孔３８に挟まれた中央位置に取付孔４０が形成されていて、この取付孔４０に一端側を挿入し、他端側を弾性グリップ部材３５Ａの取付孔４０に対向する位置に押圧させて、凹部３６Ａに圧縮スプリング４２が装填配設されている。
本実施の形態のその他の部分の構成は、すでに説明した第１の実施の形態と同一なので、重複する説明は行なわない。
【００３９】
本実施の形態では、撮影環境条件下で防水カメラに環境押圧力が加えられると、加えられた環境押圧力に対応して、弾性グリップ部材３５Ａの弾性変位が、弾性グリップ部材３５Ａの弾性特性及び圧縮スプリング４２の弾性特性に基づいて行なわれる。
このために、本実施の形態によると、圧縮スプリング４２の弾性特性に対応して、環境押圧力の吸収緩和効果を高めることが可能になる。
本実施の形態のその他の動作及び効果は、すでに説明した第１の実施の形態と同一なので、重複する説明は行なわない。
【００４０】
［第４の実施の形態］
本発明の第４の実施の形態を図７を参照して説明する。
図７は本実施の形態の要部の構成を示す断面説明図である。
【００４１】
本実施の形態では、図７に示すように、すでに図３を参照して説明した第１の実施の形態と同様に形成される空間部３７Ａ内に、板面を凹部３６Ａに対向する弾性グリップ部材３５Ａに対接させて板ばね４３がさらに装填配設されている。本実施の形態のその他の部分の構成は、すでに説明した第１の実施の形態と同一なので、重複する説明は行なわない。
【００４２】
本実施の形態では、撮影環境条件下で防水カメラに環境押圧力が加えられると、加えられた環境押圧力に対応して、弾性グリップ部材３５Ａの弾性変位が、弾性グリップ部材３５Ａの弾性特性及び板ばね４３の弾性特性に基づいて行なわれる。
このために、本実施の形態によると、板ばね４３の弾性特性に対応して、環境押圧力の吸収緩和効果を高めることが可能になると共に、板ばね４３は多孔質弾性部材４１や圧縮スプリング４２に比して、取付占有空間が狭いので、第１の実施の形態ないし第３の実施の形態に比して、全体を小型化することが可能になる。
本実施の形態のその他の動作及び効果は、すでに説明した第１の実施の形態と同一なので、重複する説明は行なわない。
【００４３】
以上の各実施の形態では、カメラ筐体１の右手グリップ部２側の隅部３０Ｂ、３０Ｄ及び左手グリップ部１４側の隅部３０Ａ〜３０Ｃに、弾性グリップ部材３５Ｂ、３５Ｄと弾性グリップ部材３５Ａ、３５Ｃとがそれぞれ嵌合保持された構成のものを説明したが、本発明はこれらの実施の形態に限定されるものではなく、例えば、隅部３０Ａと隅部３０Ｂのみに、弾性グリップ部材３５Ａと弾性グリップ部材３５Ｂとが、それぞれ嵌合保持された構成とすることも可能である。
【００４４】
【発明の効果】
請求項１記載の発明では、カメラ筐体表面の隅部において、凹凸嵌合手段によって弾性グリップ部材がカメラ筐体に嵌合保持され、弾性グリップ部材とカメラ筐体間には、カメラ筐体内部に連通する空間部が設けられているので、防水カメラに撮影環境条件下で、カメラ筐体内外の圧力差やカメラ筐体への外部衝撃に基因する押圧力を含む環境押圧力が加えられると、空間部内で弾性グリップ部材が、自己の弾性特性に基づき、環境押圧力に対応して弾性変位し、環境押圧力が吸収緩和されるので、環境押圧力によって、防水カメラに気密防水性の低下、カメラ筐体内のカメラ部品の損傷、カメラ部品交換時の開閉蓋の開閉困難化などの動作事故が発生することを完全に防止することが可能になる。
【００４５】
請求項２記載の発明によると、請求項１記載の発明で得られる効果に加えて、カメラ筐体内外の圧力差が予め設定した所定値を越えると、凹凸嵌合手段によって、弾性グリップ部材とカメラ筐体との嵌合が解除され、カメラ筐体内外に圧力差がなくなるように設定されるので、予め設定した所定値を越える圧力差がカメラ筐体内外に発生した場合には、弾性グリップ部材がカメラ筐体から自動的に嵌合を解除されることになり、カメラ筐体内外に所定値を越える圧力差が発生した場合にも、防水カメラの破損を完全に防止することが可能になる。
【００４６】
請求項３記載の発明によると、請求項１または請求項２記載の発明で得られる効果に加えて、空間部に多孔質弾性部材がさらに装填配設されているので、環境押圧力に対応する弾性グリップ部材の弾性変位が、弾性グリップ部材の弾性特性及び多孔質弾性部材の弾性特性に基づいて行なわれ、多孔質弾性部材の弾性特性に対応して、環境押圧力の吸収緩和効果を高めることが可能になる。
【００４７】
請求項４記載の発明によると、請求項１または請求項２記載の発明で得られる効果に加えて、空間部に圧縮スプリング部材がさらに装填配設されているので、環境押圧力に対応する弾性グリップ部材の弾性変位が、弾性グリップ部材の弾性特性及び圧縮スプリング部材の弾性特性に基づいて行なわれ、圧縮スプリング部材の弾性特性に対応して、環境押圧力の吸収緩和効果を高めることが可能になる。
【００４８】
請求項５記載の発明によると、請求項１または請求項２記載の発明で得られる効果に加えて、空間部に板ばね部材がさらに装填配設されているので、環境押圧力に対応する弾性グリップ部材の弾性変位が、弾性グリップ部の弾性特性及び板ばね部材の弾性特性に基づいて行なわれ、板ばね部材の弾性特性に対応して、環境押圧力の吸収緩和効果を高めることが可能になると共に、取り付け占有空間の小さい板ばね部材の使用によって小型化構成が可能になる。
【図面の簡単な説明】
【図１】本発明の第一の実施の形態の構成を示す前面斜視説明図である。
【図２】同実施の形態の構成を示す背面斜視説明図である。
【図３】同実施の形態の通常動作時の要部の構成を示す断面説明図である。
【図４】同実施の形態の筐体内外圧均等化動作時の要部の構成を示す断面説明図である。
【図５】本発明の第２の実施の形態の要部の構成を示す断面説明図である。
【図６】本発明の第３の実施の形態の要部の構成を示す断面説明図である。
【図７】本発明の第４の実施の形態の要部の構成を示す断面説明図である。
【符号の説明】
１  カメラ筐体
２  右手グリップ部
３  撮影レンズ
５  光学ファインダ
１１  端子蓋
１２  開閉蓋
１４  左手グリップ部
２１  ＬＣＤモニタ
２２  ファインダ接眼部
２３  ファインダ表示窓
２４  ズーム釦
２５  モードスイッチ
３０Ａ〜３０Ｄ  隅部
３２  溝部
３３  突起部
３５Ａ〜３５Ｄ  弾性グリップ部材
３６Ａ  凹部
３７Ａ  空間部
３８  通気孔
【図１】
2005043608.tif 000003
【図２】
2005043608.tif 000004
【図３】
2005043608.tif 000005
【図４】
2005043608.tif 000006
【図５】
2005043608.tif 000007
【図６】
2005043608.tif 000008
【図７】
2005043608.tif 000009